(57)【要約】      （修正有）【課題】波力発電は、波の大小の変化が天気や風よりも穏やかで、且つ、予測し易いこと、２４時間発電可能なこと、外洋に面した海岸では波の小さい時はあっても、”無波”という状態が存在せず、最低限の波を確保できることなど、安定した自然エネルギーと言える。しかし、現在まで波のエネルギーを効率良く取り出す方法の発明はあまり進んでおらず、小規模で効率のよい発電装置を提供する。【解決手段】外洋に面して、５０ｃｍ以上の高さの波が押し寄せるような海岸に設置して、波を効率良く集め、そのエネルギーによって発電機を回し、発電する方法を考案した。集波板と発電タブからなる小型で高剛性を有し、移動と設置が簡易な発電装置であり、数十キロワット／時以下の小規模な発電を担うと共に、より最適な設置場所、設置方法、保守性能と耐久性の研究開発を行うのにも適している。【選択図】図１
2013151928.tif 000002
【特許請求の範囲】
【請求項１】
図１に示すような集波板（１）を発電タブ（２）に接合し、集波板の後部、即ち沖合方向などから進入してくる波、即ち水流を発電タブ内で方向転換させ、発電タブ内に設置した水車からなる発電機を回転させ起電力を得る発電方法。
【請求項２】
図２の（４）に示すように上記発電システムにおける発電機に、モーターの機能を付加し、外部電力によりこのモーターを回転させ、水車により、発電タブ内に常に発電タブの内側から外側への水の流れを生じさせ、波の力による発電をより平滑で且つ高効率に行う方法。
【請求項３】
図２の（３）に示すように発電タブを覆う蓋の部分に太陽電池を設置することで、発電機を兼ねるモーターに電気を供給する仕組みおよび、蓋の上部に設置した回転数モニターに電気を供給し、作動させる仕組み。
【請求項４】
図２及び図３の（５）に示すように、発電タブ内部に整流板を設置し、発電タブに入ってきた水の流れを、弱めることなく方向転換させ、発電機へと送る構造。
【発明の詳細な説明】
【技術分野】
【０００１】  本発明は電力を生み出す発電方法の分野において、主に海上の波の力を用いて発電を行う波力発電に適用されるものである。
【背景技術】
【０００２】  波の力を用いた発電方法にはいくつかの種類があるが、基本的には、波の上下動の動きによって引き起こされるフロートや羽、シリンダーなどの動きから運動エネルギーを得て発電を行うものである。
この方式では、発電に係わる波の力を受けて運動する構成部品そのものしかエネルギーを活用することができず、広大な海洋上の波が持つエネルギーの些細な部分しか発電し使用することはできない。本発明では、装置内に水平方向の波の動きを発生させ、その流れによって発電機を廻し、発電する方法である。
【発明が解決しようとする課題】
【０００３】  本発明では、海上の波を効率良く狭い範囲に集めて、高い運動エネルギーを発生させるための集波板と、その集波板によって引き起こされた強い水の流れ、即ち運動エネルギーを受けて稼働する発電装置を用いて、十分に活用されていない海の波から安定した起電力を得る仕組みである。
その中で本発明が解決しようとする課題は、波の動く方向を上下方向から水平方向に転換して、その運動エネルギーで効率良く発電をする構造の研究開発に適用すると共に、１キロから数十キロワット程度の小規模の発電を行うものである。
【課題を解決するための手段】
【０００４】  図２に示すように、集波板１を水車からなる発電機４を持った発電タブ２に取り付け、蓋３で蓋をする。発電機４にはモーターの機能があり、このモーターに蓋３の上部に設置した太陽電池６、若しくはそれ以外の電源から電気を供給し、発電機４の水車が、常に海水をタブ内部から後方の外部に押し出す流れを作る。
発電機４には回転計が取り付けられており、ここで計測した回転数を蓋３の上部に設置した表示板７等で表示する。
【発明を実施するための形態】
【０００５】  海岸部に発電装置を設置する。沖合より到達した波は、集波板１によって成型され、水平方向に移動して発電タブ２の中に流れ込む。その流れを発電タブ２の中で方向転換し、発電タブ２の下部に設置した発電機４に当て、水車を回転させて起電力を得る。
【発明の効果】
【０００６】  波力発電においては、海岸に押し寄せる波の運動エネルギーをより広範囲から集め、発電装置に利用できるので、従来の波力発電方法に比較して、より安定した電力を得ることができる。
また、小型で高い剛性を持った装置であるので、設置する場所を容易に移動させ、発電装置の海面に対する相対的な高さや角度を様々に変更させながら最も効率良い設置条件に設置することができる。
【図面の簡単な説明】
【０００７】
【図１】発電装置の外観と海水の流れる方向を示す図。
【図２】発電装置の主要構成部品である、集波板、発電タブ、蓋の３つに分解し、付属部品と共に描いた図。
【図３】集波板及び発電タブ内での水の流れを示す図。
【符号の説明】
【０００８】１    集波板
２    発電タブ
３    蓋
４    光電機
５    整流板
６    太陽電池
７    表示板
【図１】
2013151928.tif 000003
【図２】
2013151928.tif 000004
【図３】
2013151928.tif 000005
【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
海岸の波打ち際の近くで、沖から岸に向かって押し寄せては引き返す周期的な水平方向の動きをする波の運動のうち、沖から岸に向かって流れる波を捉えて発電を行う発電装置であって以下の構造を備えた装置。
この発電装置は沖側にある集波板と、岸側にあって集波板と結合した発電タブから構成される。
集波板は沖側から見た断面がカタカナのコの字を右に９０°回転させた形状を持っており、上空から見ると、沖側が長く、岸側が短い台形の形をしている。
発電タブは、上空から見ると岸側が丸く、沖側が直線の流線型をしており、沖側の直線部分の長さは集波板の岸側の上辺よりも長く、発電タブの底辺に集波板の上辺を結合させた形になっている。
発電タブの底辺の、集波板を挟んだ両脇には、水車からなる発電機が取り付けられている。
発電タブには蓋がしてあり、集波板から発電タブに入ってくる水流、即ち沖から岸に向かって寄せてくる一方向の水流を発電タブ内で方向転換させ、発電タブ内に設置した発電機を回転させ発電する構造になっている。
【請求項２】
請求項１で示した発電機に、モーターの機能を付加し、外部電力によりこのモーターを回転させ、常に発電タブ側から、外側への水の流れを生じさせることで、周期的な往復運動をする波打ち際に設置した場合に於いて、装置内の水の流れを平滑化し、発電をより高効率で行う構造。ただし、ここで言う平滑化とは、水流の大きさを一定に保つのではなく、水の流れる方向の逆流を防ぐものである。
【請求項３】
請求項１で示した発電タブの蓋の部分に太陽電池を設置し、請求項２で示した水流を平滑化するモーターに電気を供給する構造および、蓋の上部に設置した回転数モニターに電気を供給し、発電機の回転数を計測する構造。
【請求項４】
請求項１で示した発電タブ内部に整流板を設置し、発電タブに入ってきた水の流れを、弱めることなく方向転換させ、発電機へと送る構造。
【手続補正書】
【提出日】平成24年5月23日(2012.5.23)
【手続補正１】
【補正対象書類名】明細書
【補正対象項目名】全文
【補正方法】変更
【補正の内容】
【発明の詳細な説明】
【技術分野】
【０００１】
本発明は電力を生み出す発電方法の分野において、主に海上の波の力を用いて発電を行う波力発電に適用されるものである。
【発明の概要】
【０００２】
波の力を用いた発電方法にはいくつかの種類があるが、基本的には、波の上下動の動きによって引き起こされるフロートや羽、シリンダーなどの動きから運動エネルギーを得て、発電を行うものである。
本発明は、装置内に水平方向の波の動き、即ち運動エネルギーを効率よく取込み、その流れによって発電機を廻し、発電する装置である。
【発明の効果】
【０００３】
波力発電においては、海岸に押し寄せる波の上部の大きな運動エネルギーをより効率的に集め、発電装置に利用できるので、従来の波力発電方法に比較して、より安定した電力を得ることができる。
また、小型で高い剛性を持った装置であるので、設置する場所を容易に移動させ、発電装置の海面に対する相対的な高さや角度を様々に変更させながら最も効率良い設置条件に設置することができる。
【発明が解決しようとする課題】
【０００４】
本発明では、海上の波を効率良く狭い範囲に集めて、高い運動エネルギーを発生させるための集波板と、その集波板によって引き起こされた強い水の流れ、即ち運動エネルギーを受けて発電する発電機を用いて、十分に活用されていない海の波から安定した起電力を得る発電装置である。
その中で本発明が解決しようとする課題は、海岸付近に於いて、波の動きが上下方向から水平方向の周期的な水の流れに転換したところで、沖合から岸に向かって進んでくる波を取込み、その水流の持つ運動エネルギーで効率良く発電をする構造の発電装置であり、研究開発に適用すると共に、１キロから数十キロワット程度の小規模の発電を行うものである。
【課題を解決するための手段】
【０００５】
図２に示すように、集波板１を水車を備えた発電機４を持った発電タブ２に取り付け、蓋３で蓋をする。発電機４にはモーターの機能があり、このモーターに蓋３の上部に設置した太陽電池６、若しくはそれ以外の電源から電気を供給し、水車が、常に海水をタブ内部から後方の外部に押し出す流れを作る。
水車には回転計が取り付けられており、ここで計測した回転数を蓋３の上部に設置した表示板７等で表示する。
【発明を実施するための形態】
【０００６】
海岸部に発電装置を設置する。沖合より到達した波は、集波板１によって成型され、水平方向に移動して発電タブ２の中に流れ込む。その流れを発電タブ２の中で方向転換し、発電タブ２の下部に設置した発電機４に当て、水車を回転させて起電力を得る。
【図面の簡単な説明】
【０００７】
【図１】発電装置の外観と海水の流れる方向を示す図。
【図２】発電装置の主要構成部品である、集波板、発電タブ、蓋の３つに分解し、付属部品と共に描いた図。
【図３】集波板及び発電タブ内での水の流れを示す図。
【符号の説明】
【０００８】
１    集波板
２    発電タブ
３    蓋
４    発電機
５    整流板
６    太陽電池
７    表示板
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
海岸の波打ち際の近くで、沖から岸に向かって押し寄せては引き返す周期的な水平方向の動きをする波の運動のうち、沖から岸に向かって流れる波を捉えて発電を行う発電装置であって以下の構造を備えた装置。
この発電装置は沖側にある集波板と、岸側にあって集波板と結合した発電タブから構成される。
集波板は沖側から見た断面がカタカナのコの字を右に９０°回転させた形状を持っており、上空から見ると、沖側が長く、岸側が短い台形の形をしている。
発電タブは、上空から見ると岸側が丸く、沖側が直線の流線型をしており、沖側の直線部分の長さは集波板の岸側の上辺よりも長く、発電タブの底辺に集波板の上辺を結合させた形になっている。
発電タブの底辺の、集波板を挟んだ両脇には、水車を備えた発電機が取り付けられている。
発電タブには蓋がしてあり、集波板から発電タブに入ってくる水流、即ち沖から岸に向かって寄せてくる一方向の水流を発電タブ内で方向転換させ、発電タブ内に設置した前記の発電機を回転させ発電する構造になっている。
【請求項２】
請求項１で示した発電機に、モーターの機能を付加し、外部電力によりこのモーターを回転させ、常に発電タブ側から、外側への水の流れを生じさせることで、周期的な往復運動をする波打ち際に設置した場合に於いて、装置内の水の流れを平滑化し、発電をより高効率で行う構造。
【請求項３】
請求項１で示した発電タブの蓋の部分に太陽電池を設置し、請求項２で示した水流を平滑化するモーターに電気を供給する構造および、蓋の上部に設置した回転数モニターに電気を供給し、発電機の回転数を計測する構造。
【請求項４】
請求項１で示した発電タブ内部に整流板を設置し、発電タブに入ってきた水の流れを、弱めることなく方向転換させ、発電機へと送る構造。